(57)【要約】【課題】部品点数を低減するとともに、製造の容易化を図る。【解決手段】タッチ入力装置２は、内部に空間を有するとともに、開口部が形成された筐体１（筺体１の前面上部扉１０２Ｕ）と、筐体の内部に設けられ、開口部を介して表示面を視認可能な表示部３と、表示部の表示面を保護する保護板４と、保護板の板面上を通過するように赤外光を照射する発光素子６と、赤外光を受光する受光素子７と、筐体と保護板との間に設けられた弾性部材８と、を備えている。弾性部材は、弾性を有するとともに赤外光を透過させる材料で形成されており、かつ、少なくともその一部分が発光素子と受光素子との間の光軸９上に配置されている。【選択図】図２
2018136796.tif 000002
【特許請求の範囲】
【請求項１】
内部に空間を有するとともに、開口部が形成された筐体と、
前記筐体の内部に設けられ、前記開口部を介して表示面を視認可能な表示部と、
前記表示部の表示面を保護する保護板と、
前記保護板の板面上を通過するように赤外光を照射する発光素子と、
前記赤外光を受光する受光素子と、
前記筐体と前記保護板との間に設けられた弾性部材と、を備え、
前記弾性部材は、弾性を有するとともに前記赤外光を透過させる材料で形成されており、かつ、少なくともその一部分が前記発光素子と前記受光素子との間の光軸上に配置されている
ことを特徴とするタッチ入力装置。
【請求項２】
請求項１に記載のタッチ入力装置において、
前記発光素子と前記受光素子とは、それぞれ、基板に取り付けられており、
前記弾性部材は、前記保護板に接するとともに、該前記保護板の上で前記基板を保持している
ことを特徴とするタッチ入力装置。
【請求項３】
請求項２に記載のタッチ入力装置において、
前記基板は、前記開口部の大きさよりも大きい内周の孔部を有した枠状に形成されており、
前記弾性部材は、前記保護板の外周縁付近の板面上と、少なくとも前記基板の内周縁の板面上とを覆うように、配置されている
ことを特徴とするタッチ入力装置。
【請求項４】
請求項２又は請求項３に記載のタッチ入力装置において、
前記弾性部材は、さらに前記基板の外周縁の板面上を覆うように係合する係合部を有する
ことを特徴とするタッチ入力装置。
【請求項５】
請求項２乃至請求項４のいずれか一項に記載のタッチ入力装置において、
前記基板は、前記発光素子が取り付けられた発光素子基板と、前記受光素子が取り付けられた受光素子基板とを有している
ことを特徴とするタッチ入力装置。
【請求項６】
請求項１乃至請求項５のいずれか一項に記載のタッチ入力装置において、
前記弾性部材の厚さは、無荷重な状態において、前記筐体と前記保護板との間の間隔よりも大きな値に設定されている
ことを特徴とするタッチ入力装置。
【請求項７】
請求項１乃至請求項６のいずれか一項に記載のタッチ入力装置において、
前記弾性部材は、シリコーンで形成されている
ことを特徴とするタッチ入力装置。
【請求項８】
請求項１乃至請求項７のいずれか一項に記載のタッチ入力装置を備える
ことを特徴とする自動取引装置。
【発明の詳細な説明】
【技術分野】
【０００１】
本発明は、タッチ入力装置、及び、当該タッチ入力装置を備える自動取引装置に関する。
【背景技術】
【０００２】
従来、金融機関や流通機関で用いられている自動取引装置の中には、表示操作部をタッチ入力装置で構成したものがある。タッチ入力装置は、ＬＣＤ（Liquid Crystal Display）等で構成された表示部の上に光学式タッチパネルを配置した装置である。
【０００３】
タッチ入力装置に用いられている光学式タッチパネルとしては、例えば、特許文献１に記載されたものがある。特許文献１に記載された光学式タッチパネルは、保護板と筺体（又は筺体の一部分として形成されたベゼル）とを一体構造にしたものである。この光学式タッチパネルは、構造を簡素化することができる。
【０００４】
また、タッチ入力装置の中には、例えば、図７に示す構造のものがある。図７は、従来のタッチ入力装置２０２の構成を示す図（概略縦断面図）である。
【０００５】
図７に示すように、従来のタッチ入力装置２０２は、ＬＣＤ３と、保護板４と、基板５と、筺体１０１と、基板支持部材２１０と、ベゼル２２０と、防水両面テープ２３０と、を備えている。
【０００６】
保護板４は、表示部であるＬＣＤ３の表示面（上面）を保護するための平板である。保護板４は、可視光を透過する透明な素材で構成されている。保護板４は、ＬＣＤ３の上に配置されている。ＬＣＤ３及び保護板４の上面視形状は、それぞれ、矩形状を呈している。
【０００７】
保護板４の周囲には、基板５と、その基板５を支持する基板支持部材２１０とが配置されている。基板５と基板支持部材２１０の内部には、保護板４の外周サイズよりも若干大きなサイズの開口部が形成されている。したがって、基板５と基板支持部材２１０の上面視形状は、それぞれ、矩形枠状（つまり、内部が中空な矩形の枠形状）を呈している。基板５と基板支持部材２１０の内周サイズは、保護板４の外周サイズよりも広くなっている。基板支持部材２１０の外周サイズは、基板支持部材２１０で基板５を好適に支持することができるように、基板５の外周サイズと同程度か又はそれよりも若干広くなっている。基板５の上面には、赤外光を照射する複数の発光素子６と、赤外光を受光する複数の受光素子７とが実装されている。各発光素子６と各受光素子７とは、対向して配置されている。発光素子６から照射された赤外光は、保護板４の板面上を通って、受光素子７に到達する。
【０００８】
基板５の上には、外光によるタッチ入力装置２０２の誤動作（受光素子７の誤検知）を防ぐための筐体１０１が配置されている。筐体１０１は、外光が発光素子６及び受光素子７の周囲に進入しないように、外光を透過させない不透明な素材で構成されている。筐体１０１には、枠体であるベゼル２２０が取り付けられている。ベゼル２２０は、保護板４の上に配置される部材である。ベゼル２２０は、可視光を遮断し、赤外光を透過させることができる素材で構成されている。
【０００９】
ベゼル２２０は、立設部２２１と、筺体取付部２２２と、接合部２２３とを有している。立設部２２１は、壁状に立設された部位であり、保護板４の上面から筺体取付部２２２の上面までの高さを規定している。筺体取付部２２２は、筐体１０１に取り付けられる部位であり、立設部２２１の上端部から外周方向に広がるように形成されている。接合部２２３は、保護板４の上面に接合（接着）される部位であり、立設部２２１の下端部から外周方向に広がるように形成されている。接合部２２３の下面には、防水両面テープ２３０が貼付されている。ベゼル２２０は、接合部２２３の下面に貼付された防水両面テープ２３０を介して保護板４の上面に接合（接着）されている。
【００１０】
防水両面テープ２３０は、ベゼル２２０とともに、保護板４の上に付着した水分が基板５やＬＣＤ３側に進入することを防止する防水部材として機能している。なお、水分は、例えばタッチ入力装置２０２の周囲に置かれた飲料水等の容器が倒れたり、容器から飲料水等が零れたり、タッチ入力装置２０２が屋外に設置されたりすることにより、保護板４の上に付着する。
【先行技術文献】
【特許文献】
【００１１】
【特許文献１】特開２００４−３１８２５８号公報
【発明の概要】
【発明が解決しようとする課題】
【００１２】
しかしながら、従来のタッチ入力装置は、以下に説明するように、部品点数を低減するとともに、製造の容易化を図ることが望まれていた。
【００１３】
従来のタッチ入力装置は、防水両面テープでベゼルを保護板の上面に接合（接着）する構造になっていた。しかしながら、近年のＬＣＤの表示面（上面）は狭額化される（すなわち、表示領域を囲む額部分の面積を狭めるように設計される）傾向にある。そのため、その狭額化に伴い、ＬＣＤにおける防水両面テープの貼付部位の面積は、非常に狭くなりつつある。タッチ入力装置の組立時において、組立を行う作業者は、防水両面テープをそのＬＣＤの貼付部位（又は、ベゼルの接合部）に整然とかつ丁寧に貼付する必要があった。そのため、従来のタッチ入力装置は、防水両面テープの貼付作業により多大な負担を作業者にかけていた。また、従来のタッチ入力装置は、防水両面テープを要することにより、防水両面テープの分だけ部品点数が多い構造になっていた。
【００１４】
本発明は、前記した課題を解決するためになされたものであり、部品点数を低減するとともに、製造の容易化を図るタッチ入力装置、及び、当該タッチ入力装置を備える自動取引装置を提供することを主な目的とする。
【課題を解決するための手段】
【００１５】
前記目的を達成するため、第１発明は、タッチ入力装置であって、内部に空間を有するとともに、開口部が形成された筐体と、前記筐体の内部に設けられ、前記開口部を介して表示面を視認可能な表示部と、前記表示部の表示面を保護する保護板と、前記保護板の板面上を通過するように赤外光を照射する発光素子と、前記赤外光を受光する受光素子と、前記筐体と前記保護板との間に設けられた弾性部材と、を備え、前記弾性部材は、弾性を有するとともに前記赤外光を透過させる材料で形成されており、かつ、少なくともその一部分が前記発光素子と前記受光素子との間の光軸上に配置されている構成とする。
また、第２発明は、第１発明に係るタッチ入力装置を備える自動取引装置とする。
【発明の効果】
【００１６】
本発明によれば、部品点数を低減するとともに、製造の容易化を図ることができる。
【図面の簡単な説明】
【００１７】
【図１】実施形態に係るタッチ入力装置を備える自動取引装置の構成を示す図である。
【図２】実施形態に係るタッチ入力装置の構成を示す図である。
【図３Ａ】実施形態に係るタッチ入力装置の組立工程を示す図（１）である。
【図３Ｂ】実施形態に係るタッチ入力装置の組立工程を示す図（２）である。
【図３Ｃ】実施形態に係るタッチ入力装置の組立工程を示す図（３）である。
【図３Ｄ】実施形態に係るタッチ入力装置の組立工程を示す図（４）である。
【図４】第１変形例に係るタッチ入力装置の構成を示す図である。
【図５】第２変形例に係るタッチ入力装置の構成を示す図である。
【図６】第３変形例に係るタッチ入力装置の構成を示す図である。
【図７】従来のタッチ入力装置の構成を示す図である。
【発明を実施するための形態】
【００１８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１９】
［実施形態］
本実施形態は、以下のようなタッチ入力装置を提供することも意図している。
【００２０】
（１）すなわち、従来のタッチ入力装置２０２（図７参照）は、基板５を支持する部材として基板支持部材２１０を用いている。そのため、従来のタッチ入力装置２０２は、防水両面テープ２３０に加え、基板支持部材２１０の分も部品点数が多い構造になっていた。そこで、本実施形態は、防水両面テープ２３０に加え、基板支持部材２１０の分も部品点数を低減したタッチ入力装置２を提供することも意図している。
【００２１】
（２）また、従来のタッチ入力装置２０２（図７参照）は、保護板４の上に配置される部材としてベゼル２２０を有している。そのベゼル２２０は、赤外光を透過させるとともに、上から荷重を受けても変形しないようにする必要がある。そのため、ベゼル２２０は、赤外光を透過させることと高い強度を有することとの双方の条件を満たす特別な素材で構成されている。したがって、ベゼル２２０は、加工の自由度（例えば、硬さの調整や、大きさの変更、形状の変更等の自由度）の低い部材であった。そのため、ベゼル２２０は、製造コストが高くなる傾向にあった。そして、従来のタッチ入力装置２０２は、そのベゼル２２０を用いることにより、製造コストが高くなる傾向にあった。そこで、本実施形態は、製造コストを低減するために、そのようなベゼル２２０を用いないタッチ入力装置２を提供することも意図している。
【００２２】
（３）また、一般に、保護板４（図７参照）は、上から荷重を受けても変形しないように高い強度を確保する必要があるとともに、写り込み防止処理や指紋付着防止処理等の表面処理を施す必要がある。従来のタッチ入力装置２０２（図７参照）は、このような保護板４に対して防水両面テープ２３０（図７参照）を接合（接着）させる必要があるため、保護板４に用いる素材の選択の自由度が低かった。そこで、本実施形態は、保護板４に用いる素材の選択の自由度を向上させるために、そのような接合（接着）が不要なタッチ入力装置２を提供することも意図している。
【００２３】
＜自動取引装置の構成＞
以下、図１を参照して、本実施形態に係るタッチ入力装置を備える自動取引装置の構成につき説明する。図１は、本実施形態に係るタッチ入力装置２を備える自動取引装置１の構成を示す図である。ここでは、タッチ入力装置２を搭載する搭載装置が自動取引装置１であるものとして説明する。ただし、タッチ入力装置２は、自動取引装置１に限らず、様々な装置に搭載することができる。
【００２４】
図１に示すように、自動取引装置１は、内部に空間を有するように、箱状に形成された筐体１０１を有している。筐体１０１は、その前面の上部分と下部分とに前面上部扉１０２Ｕと前面下部扉１０２Ｌとを有している。前面上部扉１０２Ｕには、表示部である後記するＬＣＤ３の表示面を視認可能にするための開口部ＯＰ１０２Ｕ（図２参照）が形成されている。前面上部扉１０２Ｕの上端部には、回動支点Ｆ１が設けられている。前面上部扉１０２Ｕの前端部は、回動支点Ｆ１を中心にして上下方向に回動する。これにより、前面上部扉１０２Ｕは、開閉する。本実施形態では、前面上部扉１０２Ｕの閉鎖時における前面上部扉１０２Ｕと後記する保護板４との間の間隔が「Ｈ１（図２参照）」に設定されているものとして説明する。
【００２５】
筐体１０１は、その前面上部扉１０２に、接客部１０３を有している。接客部１０３は、顧客との間で現金や通帳等を授受したり、顧客からの操作を受け付けたりするための機構である。
【００２６】
接客部１０３は、硬貨入出金口１０４、紙幣入出金口１０５、通帳挿入口１０６、カード挿入口１０７、及び、表示操作部１０８を備えている。
【００２７】
硬貨入出金口１０４は、現金としての硬貨が投入又は排出される部位である。
紙幣入出金口１０５は、現金としての紙幣が投入又は排出される部位である。
硬貨入出金口１０４及び紙幣入出金口１０５は、それぞれ、開閉可能なシャッタによって、選択的に閉鎖又は開放される構成になっている。
【００２８】
通帳挿入口１０６は、通帳が挿入又は排出される部位である。通帳挿入口１０６の奥部には、取引内容等を通帳に記録する通帳処理部（図示せず）が配置されている。
カード挿入口１０７は、キャッシュカード等の各種カードが挿入又は排出される部位である。カード挿入口１０７の奧部には、カードに記録された口座番号等の情報の読み取りを行うカード処理部（図示せず）が配置されている。
【００２９】
表示操作部１０８は、情報を表示したり、顧客からの操作を受け付けたりする部位である。表示操作部１０８は、情報を表示するディスプレイと、取引の種類や暗証番号、取引金額等の取引情報を入力するタッチパネルとが一体化された構成になっている。表示操作部１０８には、本実施形態に係るタッチ入力装置２が用いられている。
【００３０】
＜タッチ入力装置の構成＞
以下、図２を参照して、タッチ入力装置２の構成につき説明する。図２は、タッチ入力装置２の構成を示す図（概略縦断面図）である。
【００３１】
図２に示すように、タッチ入力装置２は、ＬＣＤ３と、保護板４と、基板５と、弾性部材８と、筺体１０１（図示例では、筺体１０１の一部分を構成する前面上部扉１０２Ｕ）と、を備えている。
【００３２】
ＬＣＤ３の表示面は、筺体１０１の前面上部扉１０２Ｕに形成された開口部ＯＰ１０２Ｕを介して視認することができる。保護板４は、表示部であるＬＣＤ３の表示面（上面）を保護するための平板である。保護板４は、可視光を透過する透明な素材で構成されている。保護板４は、ＬＣＤ３の上に配置されている。ＬＣＤ３及び保護板４の上面視形状は、それぞれ、矩形状を呈している（図３Ｃ参照）。保護板４の外周サイズは、ＬＣＤ３の外周サイズと同程度になっている。
【００３３】
保護板４の上には、弾性部材８が配置されている。弾性部材８は、基板５を支持する部材である。弾性部材８は、弾性を有するとともに、赤外光を透過させる素材で構成されている。ここでは、弾性部材８がシリコーンで構成されているものとして説明する。以下、弾性部材８を「シリコーン８」と称する場合がある。
【００３４】
「シリコーン（Ｓｉｌｉｃｏｎｅ）」とは、結合の主骨格がケイ素と酸素が交互に結びついたシロキサン結合（Ｓｉ−Ｏ−Ｓｉ）で構成され、そこに有機基が結びついた化合物である。シリコーンは、高温や低温に強いという特性、紫外線に曝されても劣化し難いという特性、水を弾くという特性等を有している。
【００３５】
本実施形態では、弾性部材８は、可視光を遮断するとともに赤外光を透過するように、黒色系のシリコーンで構成されているものとして説明する。しかしながら、弾性部材８は、可視光を透過する透明なシリコーンで構成することもできる。この構成の場合は、可視光を遮断するとともに赤外光を透過する可視光フィルタで、後記する受光素子７の受光部を覆うものとする。
【００３６】
シリコーン８の上面視形状は、矩形枠状（つまり、内部が中空な矩形の枠形状）を呈している（図３Ａ参照）。シリコーン８の外周サイズは、保護板４の外周サイズと同程度になっている。また、シリコーン８の内周サイズは、ＬＣＤ３の表示領域（図示せず）の外周サイズと同程度になっている。
【００３７】
シリコーン８の外周壁面には、全周に亘って、溝Ｄ８が形成されている（図３Ａ参照）。そのため、矩形枠状のシリコーン８の一部分を上下方向に切断した部分断面形状は、コ字状（Ｕ字状）を呈している。シリコーン８の溝Ｄ８には、基板５の孔部（開口部）ＯＰ５の内周縁が嵌め込まれている。これにより、シリコーン８は、基板５を保持している。
【００３８】
基板５の上面視形状は、筺体１０１の前面上部扉１０２Ｕに形成された開口部ＯＰ１０２Ｕの大きさよりも大きい内周の孔部（開口部）ＯＰ５を有した矩形枠状を呈している（図３Ａ参照）。基板５の外周サイズは、保護板４の外周サイズよりも広くなっている。基板５は、外部から表示部（ＬＣＤ３）を視認することができるように、その内部に保護板４の外周サイズよりも若干小さなサイズの孔部（開口部）ＯＰ５が形成されている。基板５の孔部（開口部）ＯＰ５の内周縁は、シリコーン８の溝Ｄ８に嵌め込まれることによって、シリコーン８の溝Ｄ８に係合される。
【００３９】
基板５の上面には、赤外光（ただし、９４０〜９７０ｎｍ程度の近赤外光を含む）を照射する複数の発光素子６と、赤外光を受光する複数の受光素子７とが実装されている（図３Ａ参照）。各発光素子６と各受光素子７とは、対向して配置されている。発光素子６から照射された赤外光は、保護板４の板面上を通って、受光素子７に到達する。
【００４０】
シリコーン８は、保護板４の外周縁付近の上と、少なくとも基板５の内周縁の上とを覆うように、配置されている。そして、シリコーン８は、少なくともその一部分が発光素子６と受光素子７との間の光軸９上に配置されている。したがって、発光素子６から照射された赤外光は、シリコーン８を透過して受光素子７で受光される。
【００４１】
タッチ入力装置２は、自動取引装置１（図１参照）の筺体１０１の前面上部扉１０２Ｕが閉じられたときに、シリコーン８の上に前面上部扉１０２Ｕが載置される構造になっている。シリコーン８は、前面上部扉１０２Ｕが載置されることにより、前面上部扉１０２Ｕの荷重を受ける。
【００４２】
本実施形態では、無荷重時におけるシリコーン８の厚さが「Ｈ２（図３Ａ参照）」に設定されているものとして説明する。また、無荷重時におけるシリコーン８の溝Ｄ８の間隔が「Ｈ３（図３Ａ参照）」に設定されているものとして説明する。また、基板５の厚さが、無荷重時におけるシリコーン８の溝Ｄ８の間隔「Ｈ３（図３Ａ参照）」とほぼ同じ大きさの「Ｈ４（図３Ａ参照）」に設定されているものとして説明する。シリコーン８は、弾性を有するため、その弾性で溝Ｄ８に基板５を嵌め込ませることができる。
【００４３】
ここで、「無荷重」な状態とは、前面上部扉１０２Ｕが開放されていて、シリコーン８が前面上部扉１０２Ｕの荷重を受けていない状態を意味している。前記した通り、本実施形態では、無荷重時におけるシリコーン８の厚さが「Ｈ２（図３Ａ参照）」に設定されている。その無荷重時におけるシリコーン８の厚さ「Ｈ２（図３Ａ参照）」は、前面上部扉１０２Ｕが閉鎖されている場合における前面上部扉１０２Ｕと保護板４との間の間隔「Ｈ１（図２参照）」よりも大きな値になっている。
【００４４】
＜タッチ入力装置の組立工程＞
以下、図３Ａ乃至図３Ｄを参照して、タッチ入力装置２の組立工程につき説明する。図３Ａ乃至図３Ｄは、それぞれ、タッチ入力装置２の組立工程を示す図である。なお、本実施形態では、タッチ入力装置２は、後記する検知部ＤＴが保護板４の上に載置され、その上に筺体１０１の前面上部扉１０２Ｕが載置される構造になっているものとして説明する（図３Ｃ及び図３Ｄ参照）。
【００４５】
しかしながら、タッチ入力装置２は、後記する検知部ＤＴが開放された筺体１０１の前面上部扉１０２Ｕの内壁に取り付けられ、その前面上部扉１０２Ｕが閉鎖されることによって、後記する検知部ＤＴが保護板４の上に載置される構造にしてもよい。
【００４６】
又は、タッチ入力装置２は、後記する検知部ＤＴと保護板４とＬＣＤ３とで後記する入力パネルＩＰ（図３Ｃ参照）を構成し、その入力パネルＩＰを前面上部扉１０２Ｕの内壁に取り付けた構造にしてもよい。
【００４７】
図３Ａに示すように、シリコーン８の溝Ｄ８には、基板５の孔部（開口部）ＯＰ５（図２参照）の内周縁が嵌め込まれる（一点鎖線矢印参照）。これにより、図３Ｂに示すように、人の指等の検知対象を検知する機能を備えた部材（以下、「検知部」と称する）ＤＴが、シリコーン８と基板５とで構成される。
【００４８】
次に、図３Ｃに示すように、検知部ＤＴは、保護板４の上に載置される（白抜き矢印Ａ１１参照）。次に、検知部ＤＴが載置された保護板４が、ＬＣＤ３の上に載置される（白抜き矢印Ａ１２参照）。これにより、入力機能を備えたパネル部品（以下、「入力パネル」と称する）ＩＰが、検知部ＤＴと保護板４とＬＣＤ３とで構成される。
【００４９】
次に、図３Ｄに示すように、入力パネルＩＰは、搭載装置である自動取引装置１（図１参照）の内部に固定設置される。これにより、入力パネルＩＰは、自動取引装置１の表示操作部１０８として機能する。
【００５０】
この後、自動取引装置１の筺体１０１の前面上部扉１０２Ｕが閉じられる（白抜き矢印Ｂ１１参照）。その結果、シリコーン８の上には、筺体１０１の前面上部扉１０２Ｕが載置される。これにより、入力パネルＩＰは、筺体１０１の前面上部扉１０２Ｕとともに、タッチ入力装置２を構成する。
【００５１】
図３Ｄに示す状態において、タッチ入力装置２では、筺体１０１の前面上部扉１０２Ｕの荷重がシリコーン８に加わっている。そのため、シリコーン８が上下方向に縮む。これにより、シリコーン８の厚さが、前面上部扉１０２Ｕが閉鎖されている場合における前面上部扉１０２Ｕと保護板４との間の間隔「Ｈ１（図２参照）」と同じ厚さになる。つまり、シリコーン８の厚さが、無荷重時におけるシリコーン８の厚さ「Ｈ２（図３Ａ参照）」から、それよりも小さな厚さ「Ｈ１（図２参照）」に変化する。
【００５２】
また、シリコーン８が上下方向に縮むため、溝Ｄ８の上下方向の間隔が無荷重時における溝Ｄ８の間隔「Ｈ３（図３Ａ参照）」から、それよりも狭い、荷重時における溝Ｄ８の間隔「Ｈ５」に変化する。そして、荷重時における溝Ｄ８の間隔「Ｈ５」は、基板５の厚さ「Ｈ４（図３Ａ参照）」以下になっている。そのため、基板５に対するシリコーン８の保持力が大きくなる。その結果、シリコーン８は、基板５を強固に保持することができる。
【００５３】
なお、タッチ入力装置２は、前面上部扉１０２Ｕが開放されたときに、検知部ＤＴが保護板４から離れないように、前面上部扉１０２Ｕとシリコーン８との間の接合力よりも、シリコーン８と保護板４との間の接合力が強い構造になっていることが望ましい。このような構造は、例えば、以下のいずれかの手段で実現することができる。
（１）シリコーン８の下面又は保護板４の表面に接着剤（又は粘着剤）を塗布する。
（２）検知部ＤＴが係合する溝（又は突起部）を保護板４の表面に形成する。
（３）保護板４の表面に吸い付く窪み（つまり、吸盤として機能する窪み）をシリコーン８の下面に形成する。
【００５４】
＜タッチ入力装置の主な特徴＞
（１）本実施形態に係るタッチ入力装置２は、筐体１０１と保護板４との間に弾性部材８を挟み込んだ構造になっている。このようなタッチ入力装置２は、弾性部材８で表示部（ＬＣＤ３）の周囲を弾性部材（シリコーン）８で封止することができる。そのため、タッチ入力装置２は、保護板４の上に付着した水分が基板４やＬＣＤ３側に進入することを防止することができる。このようなタッチ入力装置２は、従来のタッチ入力装置２０２（図７参照）と比較すると、防水両面テープ２３０（図７参照）を削除することができる。したがって、タッチ入力装置２は、防水両面テープ２３０（図７参照）の分だけ、部品点数を低減するとともに、製造コストを低減することができる。また、タッチ入力装置２は、防水両面テープ２３０（図７参照）の貼付作業を削除することができるため、作業者の負担を軽減することができる。したがって、タッチ入力装置２は、製造の容易化を図ることができる。
【００５５】
また、タッチ入力装置２は、従来のタッチ入力装置２０２（図７参照）と比較すると、防水両面テープ２３０（図７参照）を接合（接着）させる必要がないため、保護板４に用いる素材の選択の自由度を向上させることができる。
【００５６】
（２）また、本実施形態では、弾性部材８がシリコーンで構成されている。シリコーンは、加工の自由度（例えば、硬さの調整や、大きさの変更、形状の変更等の自由度）が高い材料である。そして、シリコーン製の弾性部材８は、赤外光を透過させることができる。タッチ入力装置２は、保護板４の上に配置される部材として、その弾性部材８を有している。このようなタッチ入力装置２は、従来のタッチ入力装置２０２（図７参照）と比較すると、保護板４の上に配置される部材として、加工の自由度が低いベゼル２２０の代わりに、加工の自由度が高いシリコーン製の弾性部材８を用いている。そのため、タッチ入力装置２は、従来のタッチ入力装置２０２（図７参照）よりも構造を簡素化するとともに、製造コストを低減することができる。
【００５７】
（３）また、弾性部材８は、筺体１０１の前面上部扉１０２Ｕの荷重が加わることによって上下方向に縮む。これにより、弾性部材８は、保護板４に接するとともに、その弾性によって、保護板４の上で基板５を強固に保持することができる。このようなタッチ入力装置２は、従来のタッチ入力装置２０２（図７参照）と比較すると、基板支持部材２１０（図７参照）を削除することができる。したがって、タッチ入力装置２は、防水両面テープ２３０（図７参照）に加え、基板支持部材２１０（図７参照）の分も、部品点数を低減するとともに、製造コストを低減することができる。
【００５８】
以上の通り、本実施形態に係るタッチ入力装置２によれば、部品点数を低減するとともに、製造の容易化を図ることができる。
【００５９】
［変形例等について］
前記した実施形態では、タッチ入力装置２を搭載する搭載装置が自動取引装置１であるものとして説明した。しかしながら、タッチ入力装置２は、自動取引装置１に限らず、様々な装置に搭載することができる。
【００６０】
また、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００６１】
例えば、前記した実施形態では、基板５は、一枚の矩形枠状の部材で構成されている。しかしながら、基板５は、複数の部材に分けることができる。例えば、基板５は、発光素子６が取り付けられた発光素子基板（図示せず）と、受光素子７が取り付けられた受光素子基板（図示せず）とに分けることができる。この場合に、基板５は、図示せぬ信号線で発光素子基板と受光素子基板とが電気的に接続された構造になる。
【００６２】
また、例えば、前記した実施形態では、タッチ入力装置２は、検知部ＤＴが保護板４の上に載置され、その上に筺体１０１の前面上部扉１０２Ｕが載置される構造になっているものとして説明した（図３Ｃ及び図３Ｄ参照）。しかしながら、前記した通り、タッチ入力装置２は、検知部ＤＴが開放された筺体１０１の前面上部扉１０２Ｕの内壁に取り付けられ、その前面上部扉１０２Ｕが閉鎖されることによって、検知部ＤＴが保護板４の上に載置される構造にしてもよい。又は、前記した通り、タッチ入力装置２は、検知部ＤＴと保護板４とＬＣＤ３とで入力パネルＩＰ（図３Ｃ参照）を構成し、その入力パネルＩＰを前面上部扉１０２Ｕの内壁に取り付けた構造にしてもよい。
【００６３】
また、例えば、前記した実施形態では、弾性部材８は、可視光を遮断するとともに赤外光を透過するように、黒色系のシリコーンで構成されているものとして説明した。しかしながら、前記した通り、弾性部材８は、可視光を透過する透明なシリコーンで構成することもできる。この構成の場合は、可視光を遮断するとともに赤外光を透過する可視光フィルタで、受光素子７の受光部を覆うものとする。
【００６４】
また、本発明は、本発明の要旨を逸脱しない範囲で種々の変更や変形を行うことができる。例えば、実施形態に係るタッチ入力装置２は、図４乃至図６に示すタッチ入力装置２Ａ，２Ｂ，２Ｃのように変形することができる。
【００６５】
＜第１変形例＞
図４は、第１変形例に係るタッチ入力装置２Ａを示す図である。図４に示すように、第１変形例に係るタッチ入力装置２Ａは、実施形態に係るタッチ入力装置２（図２参照）と比較すると、弾性部材として、シリコーン８の代わりに、シリコーン８Ａを用いている点で相違している。シリコーン８Ａは、下部の幅（図２に示す光軸９方向の幅）が上部の幅よりも長くなるように形成された弾性部材である。なお、タッチ入力装置２Ａは、保護板４（図２参照）の代わりに、保護板４よりもサイズが大きな保護板４Ａを用いている。
【００６６】
タッチ入力装置２Ａは、実施形態に係るタッチ入力装置２（図２参照）と比較すると、弾性部材（シリコーン８Ａ）の下部と保護板４Ａとの接触面積を拡大させているため、保護板４Ａの上で基板５を保持する性能を向上させることができる。
【００６７】
＜第２変形例＞
図５は、第２変形例に係るタッチ入力装置２Ｂを示す図である。図５に示すように、第２変形例に係るタッチ入力装置２Ｂは、実施形態に係るタッチ入力装置２（図２参照）と比較すると、弾性部材として、シリコーン８の代わりに、シリコーン８Ｂを用いている点で相違している。シリコーン８Ｂは、基板５の外周縁の板面上を覆うように係合する係合部を有する弾性部材である。シリコーン８Ｂは、その外周部分が基板５の外周部分を下側から上側に回り込む鉤状の係合部として形成されており、その鉤状の係合部で基板５の外周部分と係合している。なお、タッチ入力装置２Ｂは、保護板４（図２参照）よりもサイズが大きな保護板４Ａを用いているが、保護板４Ａの代わりに、保護板４（図２参照）を用いてもよい。
【００６８】
タッチ入力装置２Ｂは、実施形態に係るタッチ入力装置２（図２参照）と比較すると、シリコーン８Ｂの鉤状の係合部で基板５の外周部分とシリコーン８Ｂとを係合させているため、シリコーン８Ｂで基板５を保持させる性能を向上させることができる。このようなタッチ入力装置２Ｂは、例えば、製造時において、シリコーン８Ｂと基板５とで構成された検知部ＤＴを保護板４の上に載置するために移動させる際に、検知部ＤＴが分解しないようにすること（つまり、基板５がシリコーン８Ｂから外れないようにすること）ができる。そのため、タッチ入力装置２Ｂは、さらなる製造の容易化を図ることができる。
【００６９】
＜第３変形例＞
図６は、第３変形例に係るタッチ入力装置２Ｃを示す図である。図６に示すように、第３変形例に係るタッチ入力装置２Ｃは、実施形態に係るタッチ入力装置２（図２参照）と比較すると、基板５を保護板４Ａの上に直接載置する点、及び、弾性部材として、シリコーン８の代わりに、シリコーン８Ｃを用いている点で相違している。シリコーン８Ｃは、下部の外周部分が窪んだ形状に形成された弾性部材（つまり、部分断面形状がＬ字状を呈している弾性部材）である。
【００７０】
タッチ入力装置２Ｃは、実施形態に係るタッチ入力装置２（図２参照）と比較すると、基板５を保護板４Ａの上に直接載置させることができる。そして、タッチ入力装置２Ｃは、シリコーン８Ｃの上部で基板５を上から保護板４Ａに押さえ付けることができる。そのため、タッチ入力装置２Ｃは、基板５を安定して保持させることができる。
【００７１】
これらの第１〜第３変形例に係るタッチ入力装置２Ａ，２Ｂ，２Ｃは、実施形態に係るタッチ入力装置２と同様に、部品点数を低減するとともに、製造の容易化を図ることができる。
【符号の説明】
【００７２】
１    自動取引装置
２，２Ａ，２Ｂ，２Ｃ    タッチ入力装置
３    ＬＣＤ（表示部）
４    保護板
５    基板
６    発光素子
７    受光素子
８，８Ａ，８Ｂ，８Ｃ    シリコーン（弾性部材）
９    光軸
１０１    筺体
１０２Ｌ    前面下部扉
１０２Ｕ    前面上部扉
１０３    接客部
１０４    硬貨入出金口
１０５    紙幣入出金口
１０６    通帳挿入口
１０７    カード挿入口
１０８    表示操作部
Ｄ８    溝
ＤＴ    検知部
Ｆ１    回動支点
ＩＰ    入力パネル
ＯＰ５    孔部（開口部）
ＯＰ１０２Ｕ    開口部
【図１】
2018136796.tif 000003
【図２】
2018136796.tif 000004
【図３Ａ】
2018136796.tif 000005
【図３Ｂ】
2018136796.tif 000006
【図３Ｃ】
2018136796.tif 000007
【図３Ｄ】
2018136796.tif 000008
【図４】
2018136796.tif 000009
【図５】
2018136796.tif 000010
【図６】
2018136796.tif 000011
【図７】
2018136796.tif 000012